(57)【要約】【課題】携帯端末装置に関し、装置の大型化を招くことなく内部への湿気の流入を効果的に防止することを目的とする。【解決手段】密閉された外装筐体１の一部に、外装筐体１の撓みに伴う内部容積の変動を吸収可能な変形部２を備えて構成する。【選択図】  図１
2005310979.tif 000002
【特許請求の範囲】
【請求項１】
密閉された外装筐体の一部に、外装筐体の撓みに伴う内部容積の変動を吸収可能な変形部を備えた携帯端末装置。
【請求項２】
前記変形部が、外装筐体の一部を薄肉にして所定の変形能を付与することにより形成される請求項１記載の携帯端末装置。
【請求項３】
前記変形部が、外装筐体に開設された開口を変形能に富むシート体により閉塞して形成される請求項１記載の携帯端末装置。
【請求項４】
前記変形部が外装筐体に連結されるカバー体により覆われる請求項１、２または３記載の携帯端末装置。
【発明の詳細な説明】
【技術分野】
【０００１】
本発明は、携帯端末装置に関するものである。
【背景技術】
【０００２】
ケース内部への浸水を防止した防水仕様の携帯端末装置としては、特許文献１記載のものが知られている。この従来例において、携帯端末装置は表裏一対の筐体を周縁で連結して形成され、かつ、連結部には、防水用のパッキンが介装される。
【特許文献１】特開平１０-７０３７５号公報
【発明の開示】
【発明が解決しようとする課題】
【０００３】
上述した従来例において、防水性能はパッキンの封止性能に左右されるが、一般にパッキンによっては、加圧条件下での空気の移動を遮断することはできない。この結果、筐体が撓んだ後、原形に復帰した際のケース内部への外気の流入を防止することはできず、外気の流入に伴う湿気のケース内部への侵入、これを原因とする結露等を防止することはできないという問題がある。
【０００４】
これを防止するためには、ケースが容易に撓むことのないように筐体に十分な剛性をもたせることが必要となるが、この場合には、装置全体の重量、容積とも大きくなってしまうという問題が発生する。
【０００５】
本発明は、以上の欠点を解消すべくなされたものであって、装置の大型化を招くことなく内部への湿気の流入を効果的に防止できる携帯端末装置の提供を目的とする。
【課題を解決するための手段】
【０００６】
携帯端末装置は密閉された外装筐体１により覆われて内部の気密性が保持され、外装筐体１の一部に形成された変形部２は、外装筐体１が撓んだ際に変形して内部容積の変動を吸収する。
【０００７】
外装筐体１の撓みに起因する内部空間Ａの変化に対する吸収部を備える本発明において、外気との交換（以下、「呼吸」）を避けるために外装筐体１の剛性を期待する必要がなくなり、剛性向上に伴う重量化、大型化が防止できる。
【０００８】
変形部２における内部空間Ａの容積変化吸収能は、外装筐体１が撓んだ後、原形に復帰する際の内部空間Ａの有害な変化量を消滅、あるいは軽減することが可能であれば足り、必ずしも、内部容積の微少な変化に対しても追随することを要しない。すなわち、変形部２における容積変化吸収能は、外装筐体１が有する密閉性、正確には、呼吸が発生する際の負圧の大きさを目処に決定される。したがって、密閉性が比較的高く、高い負圧下でも呼吸が発生しない場合には、その限度で変形部２における容積変化吸収能は発揮される必要はなく、呼吸発生の臨界を超えた分だけ負圧を低下させれば足りる。これに対し、密閉性が低い場合には、小さな負圧が発生しても、呼吸が発生するために、微少な容積変化に対する追随が必要となる。
【０００９】
変形部２における変形能は、上述した容積変化吸収能を基準に決定すれば足り、容積変化吸収に伴う変形部２における変形モードも、変形部２自体の伸縮を伴うものであってもよい。
【発明の効果】
【００１０】
本発明によれば、装置の大型化を招くことなく内部への湿気の流入を効果的に防止することができる。
【発明を実施するための最良の形態】
【００１１】
図１に防水仕様の携帯電話として構成された本発明の実施の形態を示す。この実施の形態において、携帯電話は、合成樹脂製の上ケース５と下ケース６とを厚み方向中央部で連結した外装筐体１内に回路基板７等の内蔵部品を収容して形成される。
【００１２】
図１（ｂ）に示すように、防水性能を高めるために、液晶表示装置等が実装された回路基板７は、キートップ８等を露出させるための孔を開設する必要のない下ケース６と、これに接合されるインナーカバー９を利用して形成される密閉空間内に収容される。また、回路基板７からは、フレキシブルプリント基板１０が引き出され、当該フレキシブルプリント基板１０上に形成された接点端子と、キートップ８を備えたキー操作シート１１によりキー操作部が形成される。
【００１３】
一方、上ケース５には、上記キートップ８が操作可能に露出され、さらに、液晶表示装置を外部からの視認するための窓１２等が配置される。この上ケース５は、外装筐体１内部を密閉するために、シール剤を介在させて下ケース６に接合される。
【００１４】
さらに、下ケース６には、変形部２が形成される。この実施の形態において変形部２は下ケース６の両側壁に所定長を有して形成される。変形部２の大きさは、変形部２の変形能を考慮して適宜設定されるが、少なくとも、外装筐体１の撓みによる有害な容積変化量を無害な変化量に低減させるに必要な容積変化量の達成が目処とされる。すなわち、図１（ｃ）に示すように、外装筐体１の撓みが比較的大きいと想定される場合で、断面方向での大きな変化量が見込めない場合には、変形部２の全長を長くしたり、あるいは形成箇所を増やす等して対応する。
【００１５】
図２に変形部２の詳細を示す。図２（ａ）は下ケース６が可撓性を有する合成樹脂材であることを利用して形成される変形部２を示すもので、変形部２は、下ケース６の肉質部を薄肉にして形成される。薄肉にすることにより、当該部位の変形能が高まるために、図１（ｃ）に示すように、外装筺体１が撓んだときには、図２（ｂ）に示すように、内部空間Ａの内圧の上昇に伴って変形部２が外方に押し出され、内部空間Ａの容積変化が吸収される。図１（ｃ）は上ケース５の天井面が押されて撓んだ状態を示し、上ケース５の原形は図中鎖線で示される。
【００１６】
この後、外装筺体１への負荷が解除されて撓みが解消したときには、内部空間Ａが一瞬負圧状態となるが、変形部２は直ちに外気圧に押されて原位置に復帰し、内部空間Ａの負圧が解消される。この結果、撓み解除時の負圧発生による外気の内部空間Ａ内への流入が完全に防止され、結露等の原因となる湿気が外気とともに流入することも防止される。
【００１７】
なお、図２（ａ）において、変形部２は、全領域を薄肉化することにより全体の変形を期待しているが、図２（ｃ）に示すように、薄肉箇所を線状に形成し、該薄肉箇所を屈曲関節１３として利用することも可能である。
【００１８】
また、変形部２は、外装筐体１を薄肉化して形成する以外に、図２（ｄ）に示すように、下ケース６に開設した開口３をゴム等の柔軟なシート体で閉塞することにより形成することもできる。シート体は、ゴムのように、それ自身伸縮するものであっても、あるいはビニールシートのように、それ自身伸縮能はないが、柔軟性を有するものであってもよい。
【００１９】
図３に本発明の第２の実施の形態を示す。なお、この実施の形態の説明において、上述した実施の形態と実質的に同一の構成要素は図中に同一符号を付して説明を省略する。この実施の形態において、上記変形部２は、カバー体４により覆われる。カバー体４を装着することにより、持ち運び等の際の変形部２のダメージを有効に防止することができる。
【００２０】
図３（ａ）においてカバー体４は、外装筐体１の両側壁ほぼ全域に渡って装着されているが、変形部２の近傍のみに装着するものであってもよい。また、カバー体４は外装筐体１から着脱自在であっても、着脱不能であってもよいが、外気と内部空間Ａとの圧力差が変形部２に直接に伝わり、該圧力差が変形部２への駆動力として有効に利用されるように、カバー体４と外装筐体１との間は、可及的に外気に開放されるのが望ましい。
【図面の簡単な説明】
【００２１】
【図１】本発明を示す図で、（ａ）は全体斜視図、（ｂ）は（ａ）の１Ｂ-１Ｂ線断面図、（ｃ）は外装筐体の撓みにより変形部が外部に張り出した状態を示す断面図である。
【図２】変形部の詳細を示す図で、（ａ）は図１（ａ）の要部拡大断面図、（ｂ）は内部空間の内圧上昇による変形状態を示す図、（ｃ）は（ａ）の変形例を示す図、（ｄ）は他の変形例を示す図である。
【図３】本発明の他の実施の形態を示す図で、（ａ）は全体斜視図、（ｂ）は図１（ｂ）に対応する断面図である。
【符号の説明】
【００２２】
１        外装筐体
２        変形部
３        開口
４        カバー体
【図１】
2005310979.tif 000003
【図２】
2005310979.tif 000004
【図３】
2005310979.tif 000005